(57)【要約】【課題】１つの文字の入力時に子音と母音を分離して入力し、しかも文字板(keypad)の中央部に配置された特殊な空間キーなどを利用して、少ない文字キーで、多様な文字を早く正確に入力できる文字板及び文字の入力方法を提供する。【解決手段】基本キーが子音値と母音値を持っており、基本キーが多数含まれている文字板の文字入力方法において、文字を形成する際に１番目に選択された基本キーから子音値を選択して入力する予備段階と、予備段階の後に２番目として選択された基本キーから母音値を選択して、子音値と母音値を組み合わせて最終文字を確定して入力する確定段階とを含む。文字板は中央部に配置されている空間キーを具備し、基本キーを選択した後に空間キーを選択する場合に表示される基本キーの空間値が設定されており、予備段階で１番目に選択された基本キーから子音値を選択した後に空間キーが選択される場合、子音値を空間値に変換する段階を含む。【選択図】図１
2010044766.tif 000002
【特許請求の範囲】
【請求項１】
基本キーが子音値と母音値を具備して、前記基本キーが多数含まれている文字板（キーパッド）の文字入力方法において、
文字を形成する際に１番目に選択された基本キーから子音値を選択して入力して表示する予備段階と、
前記予備段階の後に２番目として選択された基本キーから母音値を選択して、前記子音値と前記母音値とを組み合わせて最終文字を確定して入力して表示する確定段階とを含むことを特徴とする文字入力方法。
【請求項２】
文字板は、中央部に配置されている空間キーを具備しており、
基本キーを選択した後に空間キーを引き続いて選択する場合に表示される前記基本キーの空間値が予め設定されており、
前記予備段階で１番目に選択された基本キーから子音値を選択した後に引き続いて前記空間キーが選択される場合、表示されている前記子音値を前記空間値に変換する段階を含むことを特徴とする請求項１に記載の記載の文字入力方法。
【請求項３】
文字板は空欄キーを含む補助キーをさらに具備することを特徴とする請求項２に記載の記載の文字入力方法。
【請求項４】
補助キーは、
前記補助キーを一度選択するときに得られる文字である基本値と、
前記補助キーを続けて二度を選択するときに得られる文字である重複値と、
前記補助キーを一度選択した後に空間キーを選択することによって得られる補助キーの空間値と
を持っていることを特徴とする請求項３に記載の文字入力方法。
【請求項５】
文字板は、日本文を入力するための文字板であることを特徴とする請求項２または４に記載の文字入力方法。
【請求項６】
子音値は空欄値である「  」、「わ」、「か」、「さ」、「た」、「な」、「は」、「ま」、「ら」の中の一つであることを特徴とする請求項５に記載の文字入力方法。
【請求項７】
母音値は、「あ」、「い」、「う」、「え」、「お」、「や」、「ゆ」、「よ」の中の一つであることを特徴とする請求項６に記載の文字入力方法。
【請求項８】
予備段階で、子音値として「か」、「さ」、「た」、「は」の中の1つを選択した後に引き続いて空間キーを一度選択すると、選択された子音値の濁音に変換され入力される（表示される）ことを特徴とする請求項７に記載の文字入力方法。
【請求項９】
予備段階で、子音値として「は」を選択した後に、引き続いて空間キーを二度選択すると、選択された子音値の半濁音である「ぱ」に変換され入力される（表示される）ことを特徴とする請求項７に記載の文字の入力方法。
【請求項１０】
予備段階で、子音値として「か、さ、た、な、は、ま、ら、が、ざ、だ、ば、ぱ」の 中の一つが選択され、確定段階で母音値として「あ」が選択されて得られる最終文字は、予備段階で選択されている子音値のあ行の文字であることを特徴とする請求項９に記載の文字入力方法。
【請求項１１】
予備段階で、子音値として「か、さ、た、な、は、ま、ら、が、ざ、だ、ば、ぱ」の 中の一つが選択され、確定段階で母音値として「い」が選択されて得られる最終文字は、予備段階で選択されている子音値のい行の文字であることを特徴とする請求項９に記載の文字入力方法。
【請求項１２】
予備段階で、子音値として「か、さ、た、な、は、ま、ら、が、ざ、だ、ば、ぱ」の 中の一つが選択され、確定段階で母音値として「う」が選択されて得られる最終文字は、予備段階で選択されている子音値のう行の文字であることを特徴とする請求項９に記載の記載の文字入力方法。
【請求項１３】
予備段階で、子音値として「か、さ、た、な、は、ま、ら、が、ざ、だ、ば、ぱ」の 中の一つが選択され、確定段階で母音値として「え」が選択されて得られる最終文字は、予備段階で選択されている子音値のえ行の文字であることを特徴とする請求項９に記載の記載の文字入力方法。
【請求項１４】
予備段階で、子音値として「か、さ、た、な、は、ま、ら、が、ざ、だ、ば、ぱ」の 中の一つが選択され、確定段階で母音値として「お」が選択されて得られる最終文字は、予備段階で選択されている子音値のお行の文字であることを特徴とする請求項９に記載の文字入力方法。
【請求項１５】
予備段階で、子音値として「か、さ、た、な、は、ま、ら、が、ざ、だ、ば、ぱ」の 中の一つが選択され、確定段階で母音値として「や」が選択されて得られる最終文字は、予備段階で選択されている子音値に「ゃ」が添付されている文字であることを特徴とする請求項９に記載の文字入力方法。
【請求項１６】
予備段階で、子音値として「か、さ、た、な、は、ま、ら、が、ざ、だ、ば、ぱ」の 中の一つが選択され、確定段階で母音値として「ゆ」が選択されて得られる最終文字は、予備段階で選択されている子音値に「ゅ」が添付されている文字であることを特徴とする請求項９に記載の文字入力方法。
【請求項１７】
予備段階で、子音値として「か、さ、た、な、は、ま、ら、が、ざ、だ、ば、ぱ」の 中の一つが選択され、確定段階で母音値として「よ」が選択されて得られる最終文字は、予備段階で選択されている子音値に「ょ」が添付されている文字であることを特徴とする請求項９に記載の記載の文字入力方法。
【請求項１８】
予備段階の直前に空間キーを選択した場合は、予備段階なしで確定段階に進むことになり、前記確定段階で選択されている母音値がそのまま最終文字として入力される（表示される）ことを特徴とする請求項２に記載の記載の文字入力方法。
【請求項１９】
長音符号「ー」、「ん」、「っ」、ひらがな/カタカナの変換キー（「ア」）は、
基本キーまたは補助キーの中の一つを選択してから引き続いて空間キーを選択して生成すること、
補助キーを重複して生成すること、
別途の補助キーを使用して生成させることの中の一つで得られることを特徴とする請求項５に記載の記載の文字入力方法。
【請求項２０】
文字板は、4行3列（4×3）のキーを備えた文字板であって、
基本キーは、1行、2行1列、2行3列、3行に位置されている8つの文字キーを具備しており、
空間キーは、2行2列に位置される1つの文字キーを具備しており、
補助キーは、4行に位置する3つの文字キーを具備していることを特徴とする請求項５に記載の文字入力方法。
【発明の詳細な説明】
【技術分野】
【０００１】
本発明は、1つの文字の入力時に子音と母音を分離して入力し、しかも文字板(keypad)の中央部に配置された特殊な空間キーなどを利用して、少ない文字キーでも、多様な文字を表すことが可能で、早くてかつ正確に入力することができる文字板および文字の入力方法を提供することに関するものである。
【背景技術】
【０００２】
携帯用の小型端末機での日本語入力方式は、１つのキーを多くで、５回まで選択して、文字(母音)転換させる方式を主に使用する。この方式は、学習すること容易であるがキーを押す(選択)回数が多いことが欠点である。
また、検索キーで母音変換をさせる方法もあるが、動線が長くて使いにくい。
タッチパッド(touch pad)型端末機では、1つのキーを上下左右に動かしながら母音変換をさせる方法もあるが、接触の誤りが発生しやすい欠点がある。
【０００３】
標準文字板の方式でありながら、サイズだけを小さくした文字板が使用されるが、端末機のサイズが大きくなる問題があり、そうだからと言って、サイズを小さくすると、入力ボタンも小さくなり、間違って押しやすくなる短所がある。
【発明の概要】
【発明が解決しようとする課題】
【０００４】
本発明が解決しようとする課題は、子音値を入力する予備段階と、母音値を入力してその母音値と前記子音値とを組み合わせて最終文字を決める確定段階とを通じて、文字を入力することを特徴とする文字板および文字入力方法を提供する。
【０００５】
本発明が解決しようとするもう一つの課題は、１つの文字の入力時に子音と母音とを分離して入力し、しかも文字板の中央部に配置された空間キーなどを利用して、少ない文字キーでも、多様な文字を表すことが可能で、早くてかつ正確に入力することができる文字板および文字入力方法を提供する。
【課題を解決するための手段】
【０００６】
本発明は、上記の目的を達成するために、請求項１は、基本キーが子音値と母音値を持っており、前記基本キーが多数含まれている文字板(キーパッド,keypad)の文字入力方法において、文字を形成する際に１番目に選択された基本キーから子音値を選択して入力して表示する予備段階と、前記予備段階の後に2番目として選択された基本キーから母音値を選択して、前記子音値と前記母音値を組み合わせて最終文字を確定して入力して表示する確定段階とを含むことを特徴とする。
【０００７】
請求項２は、文字板は中央部に配置されている空間キーを具備しており、基本キーを選択した後に空間キーを引き続いて選択する場合に表示される前記基本キーの空間値が予め設定されており、前記予備段階で１番目に選択された基本キーから子音値を選択した後に引き続いて前記空間キーが選択される場合、表示されている前記子音値が前記空間値に変換する段階を含めていることを特徴とする。
【０００８】
請求項３は、文字板は空欄キー(スペースキー)を含む補助キーをさらに具備することを特徴とする。
【０００９】
請求項４は、補助キーは、前記補助キーを一度選択するときに得られる文字である基本値と、前記補助キーを続けて二度を選択するときに得られる文字である重複値と、前記補助キーを一度選択した後、空間キーを選択することによって得られる補助キーの空間値とを持っていることを特徴とする。
【００１０】
請求項５は、文字板は、日本文を入力するための文字板であることを特徴とする。
【００１１】
請求項６は、子音値は、空欄値“  ”、「わ」、「か」、「さ」、「た」、「な」、「は」、「ま」、「ら」の中の一つであることを特徴とする。
【００１２】
請求項７は、母音値は、「あ」、「い」、「う」、「え」、「お」、「や」、「ゆ」、「よ」の中の一つであることを特徴とする。
【００１３】
請求項８は、予備段階で、子音値に「か」、「さ」、「た」、「は」の中の1つを選択した後、引き続いて空間キーを一度選択すると、選択された子音値の濁音に変換され入力される（表示される）ことを特徴とする。
【００１４】
請求項９は、予備段階で、子音値「は」を選択した後、引き続いて空間キーを二度選択すると、選択された子音値の半濁音である「ぱ"」に変換され入力される（表示される）ことを特徴とする。
【００１５】
請求項１０は、予備段階で子音値として「わ、か、さ、た、な、は、ま、ら、が、ざ、だ、ば、ぱ」の中の一つが選択され、確定段階で母音値として「あ」が選択されて得られる最終文字は、予備段階で選択されている子音値のあ行の文字であることを特徴とする。
【００１６】
請求項１１は、予備段階で子音値として「か、さ、た、な、は、ま、ら、が、ざ、だ、ば、ぱ」の中の一つが選択され、確定段階で母音値として「い」が選択されて得られる最終文字は、予備段階で選択されている子音値のい行の文字であることを特徴とする。
【００１７】
請求項１２は、予備段階で子音値として「か、さ、た、な、は、ま、ら、が、ざ、だ、ば、ぱ」の中の一つが選択され、確定段階で母音値として「う」が選択されて得られる最終文字は、予備段階で選択されている子音値のう行の文字であることを特徴とする。
【００１８】
請求項１３は、予備段階で子音値として「か、さ、た、な、は、ま、ら、が、ざ、だ、ば、ぱ」の中の一つが選択され、確定段階で母音値として「え」が選択されて得られる最終文字は、予備段階で選択されている子音値のえ行の文字であることを特徴とする。
【００１９】
請求項１４は、予備段階で子音値として「か、さ、た、な、は、ま、ら、が、ざ、だ、ば、ぱ」の中の一つが選択され、確定段階で母音値として「お」が選択されて得られる最終文字は、予備段階で選択されている子音値のお行の文字であることを特徴とする。
【００２０】
請求項１５は、予備段階で子音値として「か、さ、た、な、は、ま、ら、が、ざ、だ、ば、ぱ」の中の一つが選択され、確定段階で母音値として「や」が選択されて得られる最終文字は、予備段階で選択されている子音値に「ゃ」が添付されている文字であることを特徴とする。
【００２１】
請求項１６は、予備段階で子音値として「か、さ、た、な、は、ま、ら、が、ざ、だ、ば、ぱ」の中の一つが選択され、確定段階で母音値として「ゆ」が選択されて得られる最終文字は、予備段階で選択されている子音値に「ゅ」が添付されている文字であることを特徴とする。
【００２２】
請求項１７は、予備段階で子音値として「か、さ、た、な、は、ま、ら、が、ざ、だ、ば、ぱ」の中の一つが選択され、確定段階で母音値として「よ」が選択されて得られる最終文字は、予備段階で選択されている子音値に「ょ」が添付されている文字であることを特徴とする。
【００２３】
請求項１８は、予備段階の直前に空間キーを選択した場合は、予備段階なしで確定段階に進むことになり、前記確定段階で選択されている母音値がそのまま最終文字として入力される（表示される）ことを特徴とする。
【００２４】
請求項１９は、長音符号「ー」、「ん」、「っ」、ひらがな/カタカナの変換キー（「ア」）は、基本キーまたは補助キーの中の一つを選択してから引き続いて空間キーを選択して生成すること、補助キーを重複して生成すること、別途の補助キーを使用して生成させることの中の一つで得られることを特徴とする。
【００２５】
請求項２０は、文字板は、4行3列（4×3）のキーを備えた文字板であって、基本キーは、1行、2行1列、2行3列、3行に位置されている８つの文字キーを具備しており、空間キーは、2行2列に位置される1つの文字キーを具備しており、補助キーは、4行に位置する3つの文字キーを具備していることを特徴とする。
【発明の効果】
【００２６】
本発明の文字板および文字入力方法は、子音値を入力する予備段階と、母音値を入力し、しかも前記子音値と組み合わせして、最終文字を決める確定段階を通じて、文字を入力することで、早くてかつ正確に入力することができる。
また、本発明の文字板、文字の入力方法は、１つの文字の入力時に子音と母音を分離して入力し、しかも文字板の中央部に配置された空間キーなどを利用して、少ない文字キーでも、多様な文字を表すことが可能で、早くてかつ正確に入力することができる文字板および文字入力方法を提供する。
本発明では、携帯電話、PDA、携帯端末機等のキーパッドで使用される文字の入力方式に適用することができ、入力される方法もタッチ方式、押す方式などの様々な条件にも適用できる。
【図面の簡単な説明】
【００２７】
【図１】本発明の好ましい一実施例による日本語の文字板を示す説明図である。
【図２】子音値との母音値とを組み合わせて完成される文字（日本文のアルファベット）の例を示す表である。
【図３】本発明の好ましい別の一実施例による日本語文字板を示す説明図である。
【図４】本発明の好ましい他の実施例による日本語文字板を示す説明図である。
【図５】本発明の好ましい他の実施例による日本語文字板を示す説明図である。
【発明を実施するための形態】
【００２８】
本発明では、１つの文字で子音と母音を分離して入力する方法によって少ない文字キーでも、多様な文字を表すことが可能で、早くてかつ正確に入力することができる文字入力方法を提供する。
携帯電話、PDA、携帯端末機等のキーパッドで使用される文字の入力方式としてタッチ方式、押す方式などで色々な方式があり、これらを網羅して本発明では文字を選択して入力することを説明の便宜上“選択する”と表現する。
【００２９】
本発明では、基本キー、空間キー、補助キーを具備する。
基本キーは日本文字（日本文のアルファベット）を生成する文字キーで、基本キーは子音値、母音値を基本的に持っており、基本キーの一部は空間値を持っている。
【００３０】
本発明では、文字を形成する際、一番目に選択された基本キーから子音値を選択して表示して（以下、これを予備段階と言う）、二番目に選択した基本キーから母音値を選択して、選択された子音値と母音値とを組み合わせて、最終文字を確定して表示する（以下、これを確定段階と言う）。場合によって、予備段階の後、一定の時間単位の間にキー入力がない場合は、予備段階で入力された文字がそのまま確定される。
【００３１】
子音値は空欄「  」、「わ」、「か」、「さ」、「た」、「な」、「は」、「ま」、「ら」の中の一つである。本発明では、子音値は前の段階(前段)で選択されると言う意味で「前値」とも言う。また前値を選択した後、空間キーを選択して濁音または半濁音の子音に変換される値を空間値（中間値）と言う。
【００３２】
母音値は、「あ、い、う、え、お、や、ゆ、よ」の中の一つである。本発明では、母音値は後の段階(後段)で選択されると言う意味で「後値」とも言う。
空間値は基本キーまたは補助キーを選択した後、空間キーを選択することによって、得される文字をいう。
【００３３】
空間キーの位置は、基本キーの中に位置しており、濁音、半濁音、長音、「わ」、「を」、ひらがなとカタカナの変更キー（以下、「ア」と表記する）などを入力するためのキーである。基本キーまたは補助キーを選択した後、空間キーを選択することにより、濁音、半濁音、長音、「わ」、「を」、「っ」、「ん」、ひらがなとカタカナの変更キー「ア」などを入力することができる。
【００３４】
また、母音値の生成する時に、空間キーを引き続いて二回選択(ダブルクリック)した後、基本キーを選択することで母音を選択すると、母音の文字のサイズを小さく生成することができる。
補助キーは、補助文字（例えば「っ」、「ん」）、特殊文字（例えば？、*、＃）、空欄（space）キー、ひらがなとカタカナの変換キーなどを入力するためのキーであり、基本値、重複値、空間値を持つ。
基本値は補助キーを一度選択することで得られる文字である。
【００３５】
重複値は、補助キーを続けて二度選択することで得られる文字である。
言い換えれば、本発明では、子音部は「わ、か、さ、た、な、は、ま、ら」の8つの値で表され、母音部は「あ、い、う、え、お、や、ゆ、よ」の8つの値で表されて、上記の値の割り当てた8つの基本キーは、それぞれの予備段階と確定段階とに区分されて母音部と子音部の値を交互に発生する。
【００３６】
また、長音符号「ー」、ん、っ、ひらがなとカタカナの変換部号「ア」は、基本キーまたは補助キーを選択した後、引き続いて空間キーを選択して生成するか、或いは補助キーを重複して生成するか、或いは個別の補助キーを使用して生成することが可能である。一方、便利に応じて、「わ」と「を」も、基本キーと空間キーとを押して発生させることが可能である。
【００３７】
予備段階では８つの子音部を表す子音値（前値）が生成されて、確定段階では８つの母音部を表す母音値（後値）が生成され、図２のように、子音値と母音値との組み合わせで1つの文字（日本文のアルファベット）を完成させる。
【００３８】
図２は、子音値との母音値とを組み合わせて完成される文字（日本文のアルファベット）の例を示す表である。
図２の１行は母音値「あ、い、う、え、お、や、ゆ、よ」を示しで、１列は、子音値「わ、か、さ、た、な、は、ま、ら、が、ざ、だ、ば、ぱ」を示す。例えば子音値として「か」を選択して、母音値として「い」を選択すると、図2に示したように、最終的に「き」の文字が完成させる。
【００３９】
図２の最初の欄(間)が空欄であることは子音値がないであることを示す。つまり、図２の中で、子音値（前値）が「わ」である基本キーの上に位置する基本キーの値である空欄値「  」を設定される場合は、即ち、予備段階で前記基本キーを選択することで空欄値が生成されて、その後に確定段階で選択された後値をそのまま最終文字として確定する。例えば子音値として前記空欄値“  ”を選択して、母音値として「い」を選択すると、図２のように、最終的に「い」の文字を完成させる。
【００４０】
空間キーは、各段階の値を追加的に変換する。例えば、予備段階で、「は」を生成した後に空間キーを選択すると、空間キーによる変換段階が生じて濁音である「ば」または破裂音である「ぱ」などのような中間値に変換された子音値を生成して、その後に引き続く確定段階を待つ。このようにして生成された子音部の前値または中間値は続く確定段階で生成された母音値（後値）と組み合わせて、1つの文字（日本文のアルファベット）を完成する。
【００４１】
濁音変換する子音部の値では「か、さ、た、は」がある。前値が「わ、な、ま、ら」である基本キーは濁音変換が必要ないので前値が生成された後に引き続いて空間キーを押すことにより、ひらがなとカタカナの変換キー（図３などでひらがなとカタカナの変換キーを「ア」で表す）、「ん」、「っ」、長音符号「ー」などのキー（空間値）を入力することができる。
【００４２】
また、予備段階で空間キーだけを押すことによって、特定な値がない空欄値が生成されて、確定段階の母音値（後値）を最終文字として生成させる方式で文字板の入力値を追加生成することができる。このようにして別の子音値のためのキーを追加しなくても「あ、い、う、え、お、や、ゆ、よ」を生成することができる。
【００４３】
本発明で、空間キーは、次の三つの方法で使用される。
第一に、予備段階で前値の代わりに空間キー選択して、特定の値がない空欄値を生成する。
第二に、予備段階の後に空間キーを選択して前値を濁音、半濁音などの中間値に変換される。即ち、予備段階の後に空間キーを選択して前値を濁音、半濁音などの中間値に変換した後、確定段階での後値が入力されることを待つ。
第三に、基本キーまたは補助キーの値を生成した後に空間キーを選択して予め設定されている空間値に変換する。
【００４４】
以下、図面を参照しながら、本発明の実施例を説明する。
図１は、本発明の好ましい一実施例による日本語の文字板を示す説明図で、4×3（4行3列）のキーを備えた文字板を有して、しかもその文字板は８つの基本キー、1つの空間キー、３つの補助キーで構成されており、また補助キーは４行に位置して、空間キーは基本キーに囲まれている。
【００４５】
第1行1列のキー（第1キー）の子音値（前値）は「わ」であり、母音値（後値）は「あ」であり、空間値はひらがなとカタカナの変更キーを表す「ア」である。すなわち、第1キーを１回選択(クリック)すると「わ」が生成される。第1キーを二度選択(二度クリック)すると、「わ」と「あ」とが組み合わせて作った「わ」が生成される。第1キーを選択して、引き続いて空間キー（第12キー）を選択するとひらがなモードまたはカタカナモードに変換される。
【００４６】
第1行2列のキー（第10キー）の子音値は「か」で、母音値は「い」である。つまり、第10キーを1回選択すると「か」が生成される。  第10キーを続けて二度選択すると「か」と「い」とが組み合わせて作った「き」が生成される。
【００４７】
第1行3列のキー（第9キー）の子音値は「さ」で、母音値は「う」である。つまり、第9キーを1回選択すると「さ」が生成される。  第9キーを二度選択すると、「さ」と「う」とが組み合わせて作った「す」が生成される。
【００４８】
第2行1列のキー（第2キー）の子音値は「た」で、母音値は「え」である。つまり、第2キーを1回選択すると「た」が生成される。第2キーを二度選択すると、「た」と「え」とが組み合わせて作った「て」が生成される。
【００４９】
第2行2列のキー（第11キー）は空間キーであり、基本キーを選択する前に空間キーを選択すると、子音値が空欄値「  」として認識される。子音値として「か、さ、た、は」の中の一つを選択した後に空間キー(第11キー)を1回選択すると、選択された子音値の濁音が入力される。また、子音値として「は」を選択した後に空間キーを二度続けて選択すると、「は」の半濁音である「ぱ」が入力される。  第11キー（空間キー）において、第7キーを1回選択した後に引き続いて空間キー（第11キー）を選択すると、その空間値である長音符号「ー」が生成される。また、第8キーを1回選択した後に引き続いて空間キー（第11キー）を選択すると、その空間値である「ん」が生成される。また、第12キーを1回選択した後に引き続いて空間キー（第11キー）を選択すると、その空間値である「っ」が生成される。
【００５０】
第2行3列のキー（第8キー）の子音値は「な」で、母音値は「お」で、空間値は「ん」である。つまり、第8キーを1回選択すると「な」が生成される。第8キーを二度選択すると、「な」と「お」とが組み合わせて作った「の」が生成される。第8キーを1回選択した後に引き続いて空間キー（第11キー）を選択すると、「ん」が生成される。
【００５１】
第3行1列のキー（第3キー）の子音値は「は」であり、母音値は「や」である。つまり、第3キーを1回選択すると「は」が生成される。第3キーを二度選択すると、「は」と「や」との組み合わせて作った「ひゃ」が生成される。
【００５２】
第3行2列のキー（第12キー）の子音値は「ま」で、母音値は「ゆ」で、空間値は「っ」である。つまり、第12キーを1回選択すると「ま」が生成される。第12キーを二度選択すると、「ま」と「ゆ」とが組み合わせて作った「みゅ」が生成される。第12キーを1回選択した後に引き続いて空間キー（第11キー）を選択すると、空間値である「っ」が生成される。
【００５３】
第3行3列のキー（第7キー）の子音値は「ら」で、母音値は「よ」で、空間値は長音符号「ー」である。つまり、第7キーを1回選択すると「ら」が生成される。第7キーを二度選択すると、「ら」と「よ」とが組み合わせて作った「りょ」が生成される。第7キーを1回選択した後に引き続いて空間キー（第11キー）を選択すると、空間値である長音符号「ー」が生成される。
【００５４】
第4行1列のキー（第4キー）は、補助キーのうちの一つで、基本値は空欄（space）を示す空欄キーの(図１では“
2010044766.tif 000003
”として表す)である。
また、第4キーは、漢字変換キーとしても使用されている。第4キーは、基本値または重複値または空間値の中の一つで漢字変換キーの値を持つことができる。第4キーは生成された日本語の文字を漢字に変換するときの変換の開始や確定に使用される。漢字変換が開始されると、第5キーや第6キーはカーソルの移動するキーとして利用する。即ち、第5キーや第6キーは文字の選択のためのカーソル移動の方向キーとして使用される。漢字変換の確定は再び第4キーを選択することで実行される。漢字変換を確定するまでには第5キーや第6キーを働くことができる。
【００５５】
例えば第4キーを押して、漢字変換が開始されて、画面に予想される漢字が表示されると、第5キー（  ）を選択して次の漢字に移動したり、また第6キー（  ）を選択して直前の漢字に移動したりする。確定のために第4キーを再び選択する。この時、第4キーを初めに選択した後に続けて第4キーを選択すると、既に生成された日本語がそのまま確定されて、第4キーは元の空欄機能に戻る。
【００５６】
第4行2列のキー（第5キー）は、補助キーのうちの一つで、基本値は日本語モード/英語モード変換キーを表す“J/E”である。このキーを一度選択すると文字板が英語キー(英語モード)に変換されて、もう一度選択すると日本文キー(日本語モード)に変換される。その他の例として、第5キーは数字モード/文字モード変換キーとしても使用されており、第5キーを長く押し(選択し)たらの文字板が数字入力モード（数字キー）に変換され、もう一度長く押すと、元の文字モードに戻る。
【００５７】
第4行3列のキー（第6キー）は、補助キーのうちの一つで、基本値は文章符号の変換キー（文章符号変換の指示）を表す「？」である。図１には図示されていないが、図１の文字板の文字キーは、「。」、「.」、「、」、「？」、「“」、「！」等を含めている。
第6キーを1回選択すると、文章符号モードに変わり、文字板の各文字キーが各文章符号を入力するキーになる。再度に第6キーを選択すると、元の文字モードに戻る。その他の例としては、第6キーを長く押すと、文字板が文章符号モードに変換され、もう一度長く押すと、元の文字モードに戻る。
【００５８】
図１で生成された子音値（前値）と母音値（後値）は、図2に基づいて、それらの組合せで１つの日本文字（日本文のアルファベット）が完成されており、基本キーの中央に位置する空間キー（第11キー）は、さまざまな空間値を生成することができる。
例えば、予備段階で第1キーを選択して生成された前値が「わ」である場合、確定段階で選択された基本キーの後値との組み合わせで得られる最終文字は、「あ」（第1キー）、「い」（第10キー）、「う」（第9キー）、「え」（第2キー）、「を」（第8キー）、「や」（第3キー）、「ゆ」（第5キー）、「よ」（第7キー）の中の一つである。
【００５９】
もう一つの例として、予備段階で基本キーとして第10キーを選択した後に生成された前値である「か」は、確定段階で選択された基本キーでの後値との組み合わせで得られる最終文字は、「か」（第1キー）、「き」（第10キー）、「く」（第9キー）、「け」（第2キー）、「こ」（第8キー）、「きゃ」（第3キー）、「きゅ」（第5キー）、「きょ」（第7キー）の中の一つである。
【００６０】
予備段階で空間キーだけを選択して生成された空欄値と、確定段階で選択された基本キーの後値である「あ」（第1キー）、「い」（第10キー）、「う」（第9キー）、「え」（第2キー）、「お」（第8キー）、「や」（第3キー）、「ゆ」（第5キー）、「よ」（第7キー）とを組み合わせで得られる最終文字は、上記の8つの母音値そのままである。
【００６１】
確定段階で空間キーを2回選択した後に基本キーを選択することで、母音のサイズを小さく生成することができる。例えば空間キー（第11キー）、空間キー（第11キー）、第10キーを順番に選択すると「い」ではなく、「ぃ」が生成される。
「わ」の場合は、確定段階で第1キーを長く押して「ゎ」に変換させる。または、第1キを押した後に第10キーを押して、「ゎ」に変換する。
【００６２】
予備段階の基本キーを選択した後に続いて空間キーを選択して生成される空間値としては、ひらがなとカタカナの変換符号である「ア」（第1キー）、「が」（第10キー）、「ざ」（第9キー）、「だ」（第2キー）、「ん」（第8キー）、「ば」（第3キー）、「っ」（第5キー）、長音符号「ー」（第7キー）などがある。
【００６３】
これらの空間値は、場合によって、基本キーまたは補助キーを使用して生成させることができる。一例として、第5キーで「っ」あるいは「ん」を配置して使用することができる。別の例としては、空間値である「が」（第10キー）、「ざ」（第9キー）、「だ」（第2キー）、「ば」（第3キー）は予備段階で生成された値であり、その後、確定段階での後値を待つ。「ば」（第3キー）は、空間キーをもう一度選択して「ぱ」に変換されて、その後、確定段階での後値を待つ。
【００６４】
図３は、本発明の好ましい別の一実施例による日本語文字板を示す説明図であり、4×3（4行3列）のキーを備えた文字板であり、しかも上記の文字板は8つの基本キー、1つの空間キー、3つ補助キーで構成されており、補助キーは4行に位置して、空間キーは3行2列に位置し、基本キーや補助キーに囲まれている。
【００６５】
基本キーは、それぞれの子音値と母音値とを持っており、最初に押される基本キーから子音値が生成され（予備段階）、後に押される基本キーから母音値が生成され、こうして生成された子音値と母音値との組み合わせて最終文字（日本文のアルファベット）を決定する（確定段階）。
【００６６】
基本キーは、子音値として「わ、か、さ、た、な、は、ま、ら」の中の一つを持ち、母音値として「あ、い、う、え、お、や、ゆ、よ」の中の一つを持ってる。つまり、基本キーを1回押すと、その基本キーが持っている子音値が生成される。もし、濁音である場合は、基本キーを1回押して子音値が生成された後に、空間キーを一度選択すると、その子音の濁音を形成する。半濁音である場合は、基本キーを1回押して子音値が生成された後に、空間キーを連続で二度選択すると、半濁音を形成する。そのように子音が決定されると、次に母音を形成するための基本キーを選択して、このようにして生成された子音値と母音値との組み合わせて、最終文字が完成される。子音値と母音値との組み合わせで得られる最終文字は、図2に基づいて定めている。
【００６７】
図３の4×3（4行3列）のキーを備えた文字板で、基本キーは８つのキーからなる。
第1行1列のキー（第1キー）の子音値は空欄値「  」で、母音値は「あ」である。すなわち、第1キーを一度選択すると、空欄値「  」が生成される。第1キーを二度続けて選択すると、「  」と「あ」とが組み合わせて作った「あ」が生成される。
【００６８】
第1行2列のキー（第10キ）の子音値は、「か」で、母音値は「い」である。つまり、第10キーを1回選択すると「か」が生成される。第10キーを二度続けて選択すると、「か」と「い」とが組み合わせて作った「き」が生成される。
【００６９】
第1行3列のキー（第9キー）の子音値は「さ」で、母音値は「う」である。つまり、第9キーを1回選択すると「さ」が生成される。第9キーを二度選択すると、「さ」と「う」とが組み合わせて作った「す」が生成される。
【００７０】
第2行1列のキー（第2キー）の子音値は「た」で、母音値は「え」である。つまり、第2キーを1回選択すると「た」が生成される。第2キーを二度選択すると、「た」と「え」とが組み合わせて作った「て」が生成される。
【００７１】
第2行2列のキー（第11キー）の子音値は「な」で、母音値は「お」で、空間値は「ー」である。つまり、第11キーを1回選択すると「な」が生成される。第11キーを二度選択すると、「な」と「お」とが組み合わせて作った「の」が生成される。第11キーを1回選択した後に引き続いて空間キー（第12キー）を選択すると、空間値である長音符号「ー」が生成される。
【００７２】
第2行3列のキー（第8キー）の子音値「は」であり、母音値は「や」である。つまり、第8キーを1回選択すると「は」が生成される。第8キーを二度選択すると、「は」と「や」との組み合わせて作った「ひゃ」が生成される。
【００７３】
第3行1列のキー（第3キー）の子音値は「ま」で、母音値は「ゆ」である。つまり、第3キーを1回選択すると「ま」が生成される。第3キーを二度選択すると、「ま」と「ゆ」とが組み合わせて作った「みゅ」が生成される。第3キーを1回選択した後に引き続いて空間キー（第12キー）を選択すると、空間値である「わ」が生成される。
第3行2列のキー（第12キー）は、空間キーであり、基本キーを選択する前に空間キーを選択すると、子音値が空欄値「  」として認識される。
【００７４】
第12キー（空間キー）は子音値として「か、さ、た、は」の中の一つ選択した後に空間キーを1回選択すると、選択された子音値の濁音として認識される。また、子音値として「は」を選択した後に空間キーを二度続けて選択すると、「は」の半濁音である「ぱ」が入力される。そして、子音値として「か、さ、た、は」の中の一つと所定の母音値とが組み合わされて図２による文字が完成した後に、空間キーを一度選択すると、その文字の濁音が表示される。また、子音値として「か、さ、た、は」の中の一つと所定の母音値とが組み合わされて図２による文字を完成した後に、空間キーを続けて二度選択すると、その文字の半濁音が表示される。
【００７５】
第12キー（空間キー）において、第11キーを1回選択した後に引き続いて空間キー（第12キー）を選択すると、空間値である長音符号「ー」が生成される。また、第3キーを1回選択した後に引き続いて空間キー（第12キー）を選択すると、空間値である「わ」が生成される。また、第7キーを1回選択した後に引き続いて空間キー（第12キー）を選択すると、空間値である「を」が生成される。また、第6キーを1回選択した後に引き続いて空間キー（第12キー）を選択すると、空間値であるひらがなとカタカナの変更キーを表す「ア」が生成され、ひらがなモードまたはカタカナモードに切り替える。
【００７６】
第3行3列のキー（第7キー）の子音値は「ら」で、母音値は「よ」である。つまり、第7キーを1回選択すると「ら」が生成される。第7キーを二度選択すると、「ら」と「よ」とが組み合わせて作った「りょ」が生成される。第7キーを1回選択した後に引き続いて空間キー（第12キー）を選択すると、空間値である「を」が生成される。
【００７７】
第4行1列のキー（第4キー）は補助キーであり、基本値は「*」で、重複値は空欄（space）を示す「  」である。つまり、第4キーを一度選択すると「*」が生成される。第4キーを続けて二度選択すると、スペース（空欄）が生成される。
【００７８】
第4行2列のキー（第5キー）は補助キーであり、基本値は「っ」で、重複値は「ん」である。つまり、第5キーを1回選択すると「っ」が生成される。第5キーを続けて二度選択すると、「ん」が生成される。
【００７９】
第4行3列のキー（第6キー）は補助キーであり、基本値は「＃」で、空間値はひらがなとカタカナの変更キーを表す「ア」である。つまり、第5キーを一度選択すると、「＃」が生成される。第６キーを選択した後に引き続いて空間キー（第12キー）を選択すると、ひらがなモードまたはカタカナモードに変換される。もし、現在はひらがなモードの場合は、第６キーを選択した後に引き続いて空間キー（第12キー）を選択すると、カタカナモードに変換される。もし、現在がカタカナモードの場合、第6キーを選択した後に引き続いて空間キー（第12キー）を選択すると、ひらがなモードに変換される。
【００８０】
図４は、本発明の好ましい他の実施例による日本語文字板を示す説明図であり、4×3（4行3列）のキーを備えた文字板になり、しかも文字板が８つの基本キー、２つの空間キー、２つの補助キーで構成される。補助キーは第4行1列のキー、第4行3列のキーで構成され、空間キーは第2行2列のキー、第3行2列のキーに構成される。
【００８１】
第1行1列のキー（第1キー）の子音値（前値）は「わ」で、母音値（後値）は「あ」で、空間値はひらがなとカタカナの変更キーを表す「ア」である。すなわち、第1キーを1回選択すると「わ」が生成される。第1キーを続けて二度選択すると、「わ」と「あ」とが組み合わせて作った「わ」が生成される。第1キーを選択してから、引き続いて空間キー（第11キーまたは第12キーの中の一つ）を選択すると、ひらがなモードまたはカタカナモードに変換される。
【００８２】
第1行2列のキー（第10キー）の子音値は「か」で、母音値は「い」である。つまり、第10キーを1回選択すると「か」が生成される。第10キーを二度続けて選択すると、「か」と「い」とが組み合わせて作った「き」が生成される。
【００８３】
第1行3列のキー（第9キー）の子音値は「さ」で、母音値は「う」である。つまり、第9キーを1回選択すると「さ」が生成される。第9キーを二度選択すると、「さ」と「う」とが組み合わせて作った「す」が生成される。
【００８４】
第2行1列のキー（第2キー）の子音値は、「た」で、母音値は、「え」である。つまり、第2キーを1回選択すると「た」が生成される。第2キーを二度選択すると、「た」と「え」とが組み合わせて作った「て」が生成される。
【００８５】
第2行2列のキー（第11キー）は、基本値を持っている空間キー（第1空間キー）として使用される。第11キーは基本値は「*」である。第11キーを一度選択すると「*」が表示される。また、第11キー（空間キー）は、子音値として「か、さ、た、は」の中の一つ選択した後空間キー（第11キー）を1回選択すると、選択された子音値の濁音を生成される。第4キーと第11キーとを連続で選択すると、特殊な文字でのモード変換をする事ができる。その時、再び第4キーと第11キーとを連続で選択することで元に戻すことができる。すなわち、特殊文字の変換キーは、トグルされるキーである。
【００８６】
第2行3列のキー（第8キー）の子音値は「な」で、母音値は「お」で、空間値は「ん」である。つまり、第8キーを1回選択すると「な」が生成される。第8キーを二度選択すると、「な」と「お」とが組み合わせて作った「の」が生成される。第8キーを1回選択した後に引き続いて空間キー（第11キーまたは第12キーのいずれか）を選択すると、「ん」が生成される。
【００８７】
第3行1列のキー（第3キー）の子音値「は」であり、母音値は「や」である。つまり、第3キーを1回選択すると「は」が生成される。第3キーを二度選択すると、「は」と「や」とが組み合わせて作った「ひゃ」が生成される。
【００８８】
第3行2列のキー（第12キー）は基本値を持っている空間キー（第2空間キー）である。第12キーの基本値は「＃」である。第12キー（空間キー）は、子音値として「は」を選択した後に空間キー（第2空間キー）を二度選択すると、その選択した子音値である「は」の半濁音が入力される。そして、空間キー（第11キーまたは第12キーのうちの1つ）は、子音値として「か、さ、た、は」の中の一つと所定の母音値とが組み合わされて図2に示したように文字を完成した後に、空間キーを1回選択すると、それらの文字の濁音が生成される。また、子音値「は」と所定の母音値とが組み合わされて図2のように文字が完成した後に、空間キーを続けて二度選択すると、その文字の半濁音になる。また、第4キーと第12キーとを連続しで押して、数字のモードと日本語のモードとの変換を行うことができる。第6キーと第12キーとを連続して選択すると、英字モードでの転換ができる。
【００８９】
空間キーにおいて、第7キーを1回選択した後に引き続いて空間キー（第11キーまたは第12キーのいずれか）を選択すると、空間値である長音符号「ー」が生成される。また、第8キーを1回選択した後に引き続いて空間キー（第11キーまたは第12キーのいずれか）を選択すると、空間値である「ん」が生成される。また、第5キーを1回選択した後に引き続いて空間キー（第11キーまたは第12キーのいずれか）を選択すると、空間値である「っ」が生成される。
第3行3列のキー（第7キー）の子音値は「ま」で、母音値は「ゆ」で、空間値は長音符号「ー」である。つまり、第7キーを1回選択すると「ま」が生成される。第7キーを二度選択すると、「ま」と「ゆ」とが組み合わせて作った「みゅ」が生成される。第7キーを1回選択した後に引き続いて空間キー（第11キーまたは第12キーのいずれか）を選択すると、空間値である長音符号「ー」が生成されている。
【００９０】
第4行1列のキー（第4キー）は、補助キーのうちの一つで、基本値は空欄（space）を示す「  」である。つまり、第4キーを一度選択すると、スペース（空欄）が生成される。図４には図示されていないが、第4キーは、漢字変換キー、特殊文字変換キー、日本文/数字変換キー、英文変換キーを具備することができる。例えば、第4キーを日本語の文字生成後に選択すると、漢字を生成するための変換を行うことができる。第4キーと第11キーとを連続で選択することで、特殊文字モードでの変換を行い、第4キーと第12キーとを連続で選択することで、数字と日本語のモード変換を行うことができる。第6キーと第12キーとを連続で選択すると、英字モードの転換することができる。
【００９１】
第4行2列のキー（第5キー）は、基本キーのうちの一つで、子音値は「ら」で、母音値は「よ」で、空間値は長音符号「っ」である。つまり、第5キーを1回選択すると「ら」が生成される。第5キーを二度選択すると、「ら」と「よ」とが組み合わせて作った「りょ」が生成される。第5キーを1回選択した後に引き続いて空間キー（第11キーまたは第12キーのいずれか）を選択すると、空間値である「っ」が生成される。
第4行3列のキー（第6キー）は、補助キーのうちの一つで、基本値は空欄値「  」である。
【００９２】
図４は、２つの空間キー（第11キー、第12キー）が、８つの基本キー（第1キー第2キー、第3キーは、第5キー、第7キー、第8キー、第9キー、第10キー）や２つの補助キー（第4キー、第6キー）に囲まれた形で構成される。段階に応じた前値や後値を生成および組み合わせる方法は、図１のようになる。
【００９３】
空間キーを使用する方法は、図１の空間キー（第11キー）を使用する方式のように変換する段階で中間値を生成したり、空間キーを最初に選択して空欄値を生成したりする。追加的に配置された空間キーは、さらに様々な入力値を生成することができる。一例として、第3キーの前値である「は」は第11キーを押して、ばに変換され、第12キーを押して「ぱ」に変換される。第11キーと、第12キーとを1回ずつ押すことで、空間キーを連続して二回選択することと同じになる。予備段階の前に空間キーを2回選択した後に基本キーを選択すると後値で表す母音が小文字で生成される。空間値を生成する方式や補助キーの使用方法は、図１の方式と同じである。第4キーは、空間キーと組み合わせて、多様に使用することができる。一例として、普段の第4キーは空欄キー(スペース(space)キー)の機能をしていたが、日本語の文字生成後に選択すると、漢字を生成するための変換を開始するためのキーとして働く。また、第4キーと第11キーとを連続で選択すると、特殊文字でのモードに変換する。第4キーと第12キーとを連続で選択すると、数字と日本語とのモード変換を行う。第６キーと第12キーとを連続で選択すると、英文モードでの変換をする。
【００９４】
図５は、本発明の好ましい他の実施例による日本語文字板を示す説明図であり、4×3（4行3列）のキーを備えた文字板を具備して、しかも1列および2列に8つの基本キーが配置されて、2行3列には1つの空間キーが配置されて、1行3列、3行3列および4行3列に3つの補助キーが配置されている。
第1行1列のキー（第1キー）の子音値は空欄値「  」であり、母音値は「あ」である。すなわち、第1キーを一度選択すると、空欄値「  」が生成される。第1キーを二度続けて選択すると、「  」と「あ」とが組み合わせて作った「あ」が生成される。
【００９５】
第1行2列のキー（第10キー）の子音値は「な」で、母音値は「お」である。つまり、第10キーを1回選択すると、「な」が生成される。第10キーを二度選択すると、「な」と「お」とが組み合わせて作った「の」が生成される。
【００９６】
第1行3列のキー（第9キー）は、補助キーのうちの一つで、基本値は「っ」で、重複値は「ん」である。つまり、第9キーを1回選択すると「っ」が生成される。第9キーを続けて二度選択すると「ん」が生成される。
【００９７】
第2行1列のキー（第2キー）の子音値は「か」で、母音値は「い」である。つまり、第2キーを1回選択すると、「か」が生成される。第2キーを二度続けて選択すると、「か」と「い」とが組み合わせて作った「き」が生成される。
【００９８】
第2行2列のキー（第11キー）の子音値「は」で、母音値は「や」で、空間値は「わ」である。つまり、第11キーを1回選択すると「は」が生成される。第11キーを続けて二度選択すると、「は」と「や」とが組み合わせて作った「ひゃ」が生成される。第11キーを1回選択した後に引き続いて空間キー（第8キー）を選択すると、「わ」が生成される。
第2行3列のキー（第8キー）は空間キーであり、基本キーを選択する前に空間キーを選択すると、子音値が空欄値「  」として認識される。
【００９９】
第8キー（空間キー）は、子音値として「か、さ、た、は」の中の一つ選択した後空間キーを1回選択すると、選択された子音値の濁音として認識される。また、子音値として「は」を選択した後に空間キーを二度続けて選択すると、選択された子音値「は」の半濁音である「ぱ」が入力される。そして、第8キー（空間キー）は、子音値として「か、さ、た、は」のいずれかと所定の母音値とが組み合わされて図２のように文字を完成した後に、空間キーを一度選択すると、その文字の濁音が表示される、また、子音値「は」と所定の母音値とが組み合わされて図2のように文字を完成した後に、空間キーを続けて二度選択すると、その文字の半濁音を表示する。
【０１００】
第8キー（空間キー）において、第11キーを1回選択した後に引き続いて空間キー（第8キー）を選択すると、空間値である「わ」が生成される。また、第12キーを1回選択した後に引き続いて空間キー（第8キー）を選択すると、空間値である長音符号「ー」が生成されている。また、第5キーを1回選択した後に引き続いて空間キー（第8キー）を選択すると、空間値である「を」が生成される。
【０１０１】
第3行1列のキー（第3キー）の子音値は「さ」で、母音値は「う」である。つまり、第9キーを1回選択すると、「さ」が生成される。第9キーを二度選択すると、「さ」と「う」とが組み合わせて作った「す」が生成される。
【０１０２】
第3行2列のキー（第12キー）の子音値は「ま」で、母音値は「ゆ」で、空間値は長音符号「ー」である。つまり、第12キーを1回選択すると「ま」が生成される。第12キーを二度選択すると、「ま」と「ゆ」とが組み合わせて作った「みゅ」が生成される。第12キーを1回選択した後に引き続いて空間キー（第8キー）を選択すると、空間値である長音符号「ー」が生成されている。
【０１０３】
第3行3列のキー（第7キー）の基本値は「＃」で、空間値はひらがなとカタカナの変更キーを表す「ア」である。つまり、第7キーを一度選択すると、「＃」が生成される。第7キーを選択してから、引き続いて空間キー（第8キー）を選択すると、ひらがなモードまたはカタカナモードに変換される。もし、現在はひらがなモードの場合は、第7キーを選択してから、引き続いて空間キー（第8キー）を選択すると、カタカナモードに変換される。もし、現在がカタカナモードの場合は、第7キーを選択してから、引き続いて空間キー（第8キー）を選択すると、ひらがなモードに変換される。ここで、ひらがなとカタカナの変更キーを空間値としているが、場合によっては、これを重複値にすることもできる。
【０１０４】
第4行1列のキー（第4キー）の子音値は「た」で、母音値は「え」である。つまり、第4キーを1回選択すると「た」が生成される。第4キーを二度選択すると、「た」と「え」とが組み合わせて作った「て」が生成される。
【０１０５】
第4行2列のキー（第5キー）の子音値は「ら」で、母音値は「よ」で、空間値は「を」である。つまり、第5キーを1回選択すると、「ら」が生成される。第5キーを二度選択すると、「ら」と「よ」とが組み合わせて作った「りょ」が生成される。第5キーを1回選択した後に引き続いて空間キー（第8キー）を選択すると、空間値である「を」が生成される。
【０１０６】
第4行3列のキー（第6キー）は補助キーの中の一つであり、基本値は「*」で、重複値は空欄（space）を示す「  」である。つまり、第6キーを一度選択すると、「*」が生成される。第6キーを続けて二度選択すると、スペース（空欄）が生成される。
【０１０７】
図５において、8つの基本キー（第1キー、第2キー、第3キーは、第4キー、5キー、第10キー、第11キー、第12キー）は、4×2に配列されて、その他に一つ空間キー（第8キー）と3つの補助キー（第6キーは、第7キー、第9キー）を具備する。段階に応じた前値や後値の生成及び組み合わせ方法、空間キーの使用方法、補助キーの機能は、図１のようになる。
【０１０８】
以上、本発明について説明したが、本発明は図面に例示された実施例によって限定されるものではなく、当業者であれば、次に記載された特許請求の範囲の内でより多くの変形および変用例が可能であることは言うまでもない。
【図１】
2010044766.tif 000004
【図２】
2010044766.tif 000005
【図３】
2010044766.tif 000006
【図４】
2010044766.tif 000007
【図５】
2010044766.tif 000008